(57)【要約】【課題】  ＳＯＮＥＴ／ＳＤＨ網を使用し、それとは非同期なクライアント信号を透過伝送させるネットワークに関し、クライアント装置のＡＬＳ機能を有効としたネットワーク運用を行う。【解決手段】  再生されたクロックを異常と判定したときには、当該クロックに代えて自装置クロックを用いてフレームの送出を行う。さらに、自装置クロックを用いてフレーム送出を行う際には、当該フレーム中にＡＩＳ信号を挿入する。【選択図】  図１
2006339731.tif 000002
【特許請求の範囲】
【請求項１】
受信したフレームから受信クロック情報を抽出する受信クロック情報抽出手段と、
この受信クロック情報抽出手段により抽出した受信クロック情報に基づきクロック再生するクロック再生手段と、
このクロック再生手段により再生されたクロックの正常性を監視するクロック再生監視手段と、
このクロック再生監視手段により正常性が認められた再生クロックを用いて前記フレームを送信先のクロックに同期させて送出する透過信号再生手段と
を備えた非同期透過伝送装置において、
前記クロック再生監視手段が再生されたクロックを異常と判定したときには、当該クロックに代えて自装置クロックを用いて前記フレームの送出を行うクロック選択手段を備えた
ことを特徴とする非同期透過伝送装置。
【請求項２】
前記クロック選択手段が自装置クロックを用いてフレーム送出を行う際には、当該フレーム中にＡＩＳ(Alarm Indicator Signal)信号を挿入するＡＩＳ信号挿入手段を備えた請求項１記載の非同期透過伝送装置。
【請求項３】
透過伝送させる対象の信号を、ＳＯＮＥＴ／ＳＤＨフレームとした請求項１または２記載の非同期透過伝送装置。
【請求項４】
受信したフレームから受信クロック情報を抽出し、この抽出した受信クロック情報に基づきクロックを再生し、この再生されたクロックの正常性を監視し、正常性が認められた再生クロックを用いて前記フレームを送信先のクロックに同期させて送出する非同期透過伝送装置に適用される非同期透過伝送方法において、
再生されたクロックを異常と判定したときには、当該クロックに代えて自装置クロックを用いて前記フレームの送出を行う
ことを特徴とする非同期透過伝送方法。
【請求項５】
自装置クロックを用いてフレーム送出を行う際には、当該フレーム中にＡＩＳ信号を挿入する請求項４記載の非同期透過伝送方法。
【請求項６】
透過伝送させる対象の信号を、ＳＯＮＥＴ／ＳＤＨフレームとした請求項４または５記載の非同期透過伝送方法。
【発明の詳細な説明】
【技術分野】
【０００１】
本発明は、ＳＯＮＥＴ／ＳＤＨ(Synchronous Digital Hierarchy)フレームを用いる通信に利用する。特に、ＳＯＮＥＴ／ＳＤＨ網とは非同期な信号をＳＯＮＥＴ／ＳＤＨ網を使用して透過伝送させる技術に関する。
【背景技術】
【０００２】
透過伝送機能をもつ非同期透過伝送装置により構成されるネットワークを図７に示す。図７には、ＳＯＮＥＴ／ＳＤＨ網Ａとは非同期で動作し、運用者や制御システムが異なるクライアント装置からなる複数のネットワークが接続されているネットワーク構成例が示されている。すなわち、図７の下部にＤとして示す部分に相当するクライアント装置１１または１２を含むネットワークと、図７の下部にＥとして示す部分に相当するＳＯＮＥＴ／ＳＤＨ網Ａおよび非同期透過伝送装置ＢおよびＣを含むネットワークとから、図７の下部にＦとして示す部分に相当する透過伝送ネットワークが構成される。この透過伝送ネットワークＦにおいてネットワークＤとＥとは互いに非同期である。
【０００３】
図７において、クライアント装置１１は、送信部１１１、受信部１１２を有し、光伝送路ａ、光伝送路ｈにより、非同期透過伝送装置Ｂと接続している。非同期透過伝送装置Ｂは、透過伝送パッケージ１３、ＳＯＮＥＴ／ＳＤＨインタフェースパッケージ１５を有しており、透過伝送パッケージ１３は、送信部１３１、受信部１３２を、ＳＯＮＥＴ／ＳＤＨインタフェースパッケージ１５は送信部１５１、受信部１５２を有している。
【０００４】
非同期透過伝送装置Ｂは、光伝送路ｂ、光伝送路ｃ、光伝送路ｆ、光伝送路ｇ、ＳＯＮＥＴ／ＳＤＨ網Ａに接続され、その対向側には、非同期透過伝送装置Ｃが接続されている。非同期透過伝送装置Ｃは、非同期透過伝送装置Ｂと同様に、ＳＯＮＥＴ／ＳＤＨインタフェースパッケージ１６、透過伝送パッケージ１４を有しており、ＳＯＮＥＴ／ＳＤＨインタフェースパッケージ１６は、送信部１６１、受信部１６２を、透過伝送パッケージ１４は、送信部１４１、受信部１４２を有している。
【０００５】
非同期透過伝送装置Ｃは、光伝送路ｄ、光伝送路ｅにより、クライアント装置１２と接続され、クライアント装置１２は、クライアント装置１１と同様に、送信部１２１、受信部１２２を有している。
【０００６】
クライアント装置１１、クライアント装置１２からのクライアント信号は、非同期透過伝送装置Ｂ、ＳＯＮＥＴ／ＳＤＨ網Ａ、非同期透過伝送装置Ｃを含む区間にて透過伝送される。
【０００７】
従来の非同期透過伝送装置としての送信部の構成例を図８を参照して説明する。なお、受信部については、図２に示す本発明における構成と従来技術における構成は同様である。
【０００８】
図８において、ＳＯＮＥＴ／ＳＤＨインタフェースパッケージ１５の受信部１５２では受信したＳＴＭ(Synchronous Transport Module)光信号を、光−電気変換処理、ＳＯＨ(Section Overhead )終端処理、バーチャルコンカチネーション(Virtual
Concatination)パスのデマッピング処理を施し、バーチャルコンカチネーションパスはＳＴＭパス終端部１３１１へ渡される。
【０００９】
ＳＴＭパス終端部１３１１では、ＳＴＭパスの終端処理、それぞれ異経路を伝送されてきたバーチャルコンカチネーションパスの位相同期処理が行われ、これにより、クライアント信号を分割することにより生成されたパケット信号がマッピングされている各パスの位相が揃えられる。
【００１０】
ＧＦＰ(Generic Framing Procedure)デカプセリング部１３１２では、主信号のＧＦＰデカプセル化が行われ、後段の受信クロック情報抽出部１３１３へ渡される。受信クロック情報抽出部１３１３では、ＧＦＰフレームに挿入された搬送クロック情報を抽出し、抽出したクロック情報を、クロック再生部１３１４へ渡すと共に、デカプセル化されたパケット信号は、後段の透過信号再生部１３１７へ渡す。透過信号再生部１３１７では、渡されたパケット信号からもとのクライアント信号を再生する。
【００１１】
クロック再生部１３１４は、渡されたクロック情報からもとのクライアント信号の搬送クロックを再生し、再生したクロックを送信インタフェース部１３１８へ入力する。
【００１２】
クロック再生監視部１３１５は、クロック再生部１３１４にて正常にもとの搬送クロックが再生されたかを監視し、その監視結果をもとに、シャットダウン制御部１３１６へ制御信号を出す。これは例えば、シャットダウン制御部１３１６に対し、下記のような２値の制御信号を入力する。
【００１３】
クロック再生部１３１４にて正常にクロックが再生されている場合：０を入力
送信インタフェース部１３１８へのシャットダウン制御無効
クロック再生部１３１４にて正常にクロック再生されていない場合：１を入力
送信インタフェース部１３１８へのシャットダウン制御有効
シャットダウン制御部１３１６は、クロック再生監視部１３１５から受ける上記２値の制御信号に従い、送信インタフェース部１３１８をシャットダウン制御する。
【００１４】
送信インタフェース部１３１８は、シャットダウン制御部１３１６からの制御信号に従い、シャットダウン制御が無効の場合には透過信号再生部１３１７より渡された主信号を電気−光変換し、クロック再生部１３１４から入力されているクロックを搬送クロックとして、光信号を光伝送路ｈに送出する。逆に、シャットダウン制御が有効の場合には、送出光信号をシャットダウンする。
【００１５】
このようにして、ＳＯＮＥＴ／ＳＤＨ網を使用した非同期透過伝送装置により構成されるネットワークに、このネットワークとは非同期で動作し運用者や制御システムが異なるクライアント装置からなるネットワークが接続されているネットワーク構成において、クライアント装置間に透過的に信号を伝送することができる。
【００１６】
また、受信部１３２にて光入力がＬＯＳ(Loss of Signal)状態の場合にはＡＬＳ(Automatic Laser Shutdown)制御部１３１９からのＡＬＳ制御信号に従い、送信光信号をＡＬＳ制御する（例えば、特許文献１参照）。なお、透過伝送パッケージ１４の送信部１４１も同様の構成をもつ。
【００１７】
次に、上記のような送信部をもつ従来の非同期透過伝送装置を用いたＳＯＮＥＴ／ＳＤＨネットワークに、ＡＬＳ機能を有効にしたクライアント装置を接続し透過伝送ネットワークを運用する場合を、図９、図１０、図１１を用いて説明する。
【００１８】
図９を参照すると、クライアント装置１１、クライアント装置１２は、それぞれＡＬＳ機能を有しており、このようなネットワーク構成をとっている透過伝送ネットワークにおいて、光伝送路ｈに障害が発生した場合を考える（図１１：状態Ａ）。
【００１９】
受信部１１２では、送信部１３１から入力される光信号がなくなるためＬＯＳ状態となり（図１１：状態Ａ−ａ）、クライアント装置１１のＡＬＳ機能により送信部１１１がＡＬＳ制御される（図１１：状態Ａ−ｂ）。そのため、受信部１３２はＬＯＳを検出し（図１１：状態Ａ−ｃ）、透過伝送パッケージ１３のＡＬＳ機能により送信部１３１はＡＬＳ制御される（図１１：状態Ａ−ｄ）。
【００２０】
一方、受信部１３２では、ＡＬＳ制御されたクライアント信号を受信し、その信号からクロック情報を生成する。この場合には、受信信号がＡＬＳ制御された信号であるため、生成されるクロック情報は、ＡＬＳによる発光時間（Ｍ（ｓｅｃ））内に生成可能なクロック情報となる。生成されたクロック情報が挿入された主信号はＳＯＮＥＴ／ＳＤＨインタフェースパッケージ１５を介し、ＳＯＮＥＴ／ＳＤＨ網Ａへと送出される（図１１：状態Ａ−ｅ）。
【００２１】
ＳＯＮＥＴ／ＳＤＨ網Ａを伝送した主信号は、透過伝送パッケージ１４の送信部１４１へ届き、送信部１４１では、転送されてきたクロック情報をもとにクロックを再生しようとする。
【００２２】
しかし、図８に示すクロック再生部１３１４では、転送されてきたクロック情報からクロックを再生するために数秒間のクロック再生時間が必要であるが、この時間をＮ（ｓｅｃ）とした場合、クライアント装置１１にてＡＬＳ制御された主信号の発光時間Ｍ（ｓｅｃ）との間に、
Ｎ＞Ｍ
の関係があるときには、クロック情報を受信している時間がクロック再生に必要な時間に満たないため、正常にクロックを再生できない。この場合には、送信部１４１は光送出を停止（シャットダウン）する（図１１：状態Ａ−ｆ）。
【００２３】
受信部１２２は、送信部１４１が光送出をシャットダウンすることによりＬＯＳ状態となる（図１１：状態Ａ−ｇ）。よって、クライアント装置１２のＡＬＳ機能により、送信部１２１がＡＬＳ制御される（図１１：状態Ａ−ｈ）。
【００２４】
受信部１４２では、ＡＬＳ制御されたクライアント信号を受信し、（図１１：状態Ａ−ｅ）と同様に、ＡＬＳによる発光時間（Ｍ（ｓｅｃ））内に生成可能なクロック情報が生成され、生成されたクロック情報が挿入された主信号はＳＯＮＥＴ／ＳＤＨインタフェースパッケージ１６を介し、ＳＯＮＥＴ／ＳＤＨ網Ａへと送出される（図１１：状態Ａ−ｉ）。
【００２５】
送信部１３１では（図１１：状態Ａ−ｆ）と同様の理由により、光送出を停止（シャットダウン）する（図１１：状態Ａ−ｊ）。
【００２６】
以上の動作により、光伝送路ｈに障害が発生した場合には、透過伝送ネットワークは図１１：Ａ−ａ〜Ａ−ｊの状態となりネットワーク運用は停止状態となる（図１１：状態Ｂ）。
【００２７】
この状態から、次に、光伝送路ｈの障害が復旧したことを考える。しかし、光伝送路ｈの障害が復旧しても、透過伝送パッケージ１３の送信部１３１がシャットダウン状態のままであるため、光伝送路ｈの障害復旧後も、クライアント装置１１のＡＬＳ制御は解除されない。
【００２８】
したがって、透過伝送パッケージ１４の送信部１４１のシャットダウン制御も解除されず、クライアント装置１１と同様に、クライアント装置１２のＡＬＳ制御も解除されない。よって、この場合には、クライアント装置が有するＡＬＳ機能を無効としなければ、ネットワークは、（図１１：状態Ｂ）にて固まる、いわゆるデッドロック状態になってしまう。この状態を、図１０に示す。
【００２９】
このような従来装置を用いて透過伝送ネットワークを運用するためには、ネットワークの障害発生時に起こる可能性のあるデッドロック状態を回避するために、クライアント装置の有するＡＬＳ機能を無効化しなければならない。
【特許文献１】特開２０００−６９１１５号公報
【発明の開示】
【発明が解決しようとする課題】
【００３０】
従来の非同期透過伝送装置では、図７に示すネットワークＤからＥへの受信点でネットワークＤのクロック情報を生成し、ネットワークＥの中を転送させることで、ネットワークＥからＤへの送出点で、転送されてきたクロック情報をもとにネットワークＤのクロックを再生してデータ送出を行っている。
【００３１】
そのため、ネットワーク障害により、ネットワークＥからＤへの送出点においてのクロック情報が喪失した場合には光出力の停止（シャットダウン）を行っていた。
【００３２】
しかし、ネットワークＤのクライアント装置としてＡＬＳ機能を有効とした装置が接続されているときにネットワーク障害が発生し、非同期透過伝送装置の透過伝送機能により光出力を停止した場合には、ネットワークＤのクライアント装置はＡＬＳ機能が働くことで、光入力が無い限り光出力を行わない状態で止まってしまう。
【００３３】
一方で、透過伝送機能におけるクロックの再生においては、障害が復旧してもＡＬＳ機能による短時間の発光時間をもつ信号からでは、精度の高いクロックを再生することはできないため、光出力の停止状態を維持する制御を行うことで光送出しないままとなってしまい、そのためネットワーク全体は、いわゆる、デッドロック状態となる。
【００３４】
これを回避するためには、ネットワークＤの装置がもつＡＬＳ機能を無効化する必要があるが、ネットワークＤは、運用者や制御システムが異なるため、管理が難しいという課題があった。
【００３５】
ここで透過伝送機能とは、
１．非同期透過伝送装置にて、ＳＯＨの終端／生成を行わず、受信したクライアント信号のＳＯＨも含めた、ＳＯＮＥＴ／ＳＤＨフレーム全体の透過伝送を行う機能
２．クライアント装置から受信した信号の搬送クロック情報を転送する機能と、網を挟んだ対極のクライアント装置への出力点では、転送されてきたクロック情報をもとにクロックを再生し、再生したクロックで信号を送出する機能
の双方を意味する。
【００３６】
またＡＬＳ機能とは、光入力が無い場合には運用停止の状態と判断し、光送信器の光出力を停止（シャットダウン）する機能を言い、保守者がネットワークの修復または保守作業を行うときに、光送信器のレーザー光が人体に与える影響（失明など）を防ぐことを目的としたもので、光伝送装置には一般的に具備されている機能である。
【００３７】
本発明は、このような背景の下に行われたものであって、クライアント装置のＡＬＳ機能を無効とする必要性を無くし、ＡＬＳ機能を有効とした状態でネットワーク運用を行うことが可能な非同期透過伝送装置および方法を提供することを目的とする。
【課題を解決するための手段】
【００３８】
本発明では、ネットワークＤまたはネットワークＥまたはその両方においてネットワーク障害が発生し、ネットワークＥからＤへの送出点でネットワークＤのクロックを正常に再生することが出来なかった場合でも、従来のように送信光信号の停止（シャットダウン）は行わず、装置内クロックを搬送クロックとしたＡＩＳ信号を送出することを特徴とする。
【００３９】
すなわち、本発明の第一の観点は、受信したフレームから受信クロック情報を抽出する受信クロック情報抽出手段と、この受信クロック情報抽出手段により抽出した受信クロック情報に基づきクロック再生するクロック再生手段と、このクロック再生手段により再生されたクロックの正常性を監視するクロック再生監視手段と、このクロック再生監視手段により正常性が認められた再生クロックを用いて前記フレームを送信先のクロックに同期させて送出する透過信号再生手段とを備えた非同期透過伝送装置である。
【００４０】
ここで、本発明の特徴とするところは、前記クロック再生監視手段が再生されたクロックを異常と判定したときには、当該クロックに代えて自装置クロックを用いて前記フレームの送出を行うクロック選択手段を備えたところにある。
【００４１】
さらに、前記クロック選択手段が自装置クロックを用いてフレーム送出を行う際には、当該フレーム中にＡＩＳ信号を挿入するＡＩＳ信号挿入手段を備えることができる。
【００４２】
これにより、フレームの受信側では、当該フレームの送出に用いられたクロックが正式なクロックではなく、代用の疑似クロックであることをＡＩＳ信号によって認識することができ、然るべき処置を講ずることができる。
【００４３】
このような本発明の非同期透過伝送装置が透過伝送させる対象の信号は、例えば、ＳＯＮＥＴ／ＳＤＨフレームである。
【００４４】
本発明の第二の観点は、受信したフレームから受信クロック情報を抽出し、この抽出した受信クロック情報に基づきクロックを再生し、この再生されたクロックの正常性を監視し、正常性が認められた再生クロックを用いて前記フレームを送信先のクロックに同期させて送出する非同期透過伝送装置に適用される非同期透過伝送方法である。
【００４５】
ここで、本発明の特徴とするところは、再生されたクロックを異常と判定したときには、当該クロックに代えて自装置クロックを用いて前記フレームの送出を行うところにある。
【００４６】
さらに、自装置クロックを用いてフレーム送出を行う際には、当該フレーム中にＡＩＳ信号を挿入することができる。
【００４７】
このような本発明の非同期透過伝送方法によって透過伝送させる対象の信号は、例えば、ＳＯＮＥＴ／ＳＤＨフレームである。
【発明の効果】
【００４８】
本発明によれば、非同期透過伝送装置にＡＬＳ機能を有するクライアント装置を接続して構成される透過伝送ネットワークにおいて、クライアント装置との間の伝送路に障害が発生し、クライアント装置のＡＬＳ機能が作動すると、クライアント装置への信号送出点において、ＡＬＳによる発光時間内に生成されたクロック情報からでは正常にクロック再生ができない状況を考慮し、装置内クロックを搬送クロックとしたＡＩＳ信号を送出する機能を非同期透過伝送装置の送信側に具備することで、クライアント装置のＡＬＳ機能を有効としたネットワーク運用が可能となる。
【００４９】
なお、障害発生箇所として、図９または図１０に示した光伝送路ｈではなく、光伝送路ａ、光伝送路ｂ、光伝送路ｃ、光伝送路ｄ、光伝送路ｅ、光伝送路ｆ、光伝送路ｇ、ＳＯＮＥＴ／ＳＤＨ網Ａのいずれかに障害が発生した場合においても、同様の効果が期待できる。
【発明を実施するための最良の形態】
【００５０】
本発明実施例の非同期透過伝送装置の構成を図１を参照して説明する。図１は本実施例の非同期透過伝送装置のブロック構成図である。
【００５１】
本実施例は、図１に示すように、受信したフレームから受信クロック情報を抽出する受信クロック情報抽出部２３１３と、この受信クロック情報抽出部２３１３により抽出した受信クロック情報に基づきクロック再生するクロック再生部２３１４と、このクロック再生部２３１４により再生されたクロックの正常性を監視するクロック再生監視部２３１５と、このクロック再生監視部２３１５により正常性が認められた再生クロックを用いて前記フレームを送信先のクロックに同期させて送出する透過信号再生部２３１７および送信インタフェース部２３１９とを備えた非同期透過伝送装置を構成する送信部１３１である。
【００５２】
ここで、本実施例の特徴とするところは、クロック再生監視部２３１５が再生されたクロックを異常と判定したときには、当該クロックに代えて装置内クロック生成部２３２０により生成された自装置クロックを用いて前記フレームの送出を行うクロック選択部２３２１を備えたところにある。
【００５３】
さらに、クロック選択部２３２１が自装置クロックを用いてフレーム送出を行う際には、当該フレーム中にＭＳ−ＡＩＳ（Multiplex Section AIS）信号を挿入するＡＩＳ信号挿入部２３１８を備える。
【００５４】
また、本実施例は、受信したフレームから受信クロック情報を抽出し、この抽出した受信クロック情報に基づきクロック再生し、この再生されたクロックの正常性を監視し、正常性が認められた再生クロックを用いて前記フレームを送信先のクロックに同期させて送出する非同期透過伝送装置に適用される非同期透過伝送方法である。
【００５５】
ここで、本実施例の特徴とするところは、再生されたクロックを異常と判定したときには、当該クロックに代えて自装置クロックを用いて前記フレームの送出を行うところにある。
【００５６】
さらに、自装置クロックを用いてフレーム送出を行う際には、当該フレーム中にＭＳ−ＡＩＳ信号を挿入する。
【００５７】
以下では、本実施例をさらに詳細に説明する。
【００５８】
図７を参照すると、本発明の一実施例として、ＳＯＮＥＴ／ＳＤＨ網を使用した非同期透過伝送装置により構成されるネットワーク（ネットワークＥ）に、このネットワークとは非同期で動作し運用者や制御システムが異なるクライアント装置からなるＳＯＮＥＴ／ＳＤＨネットワーク（ネットワークＤ）が接続されているネットワーク（透過伝送ネットワークＦ）の構成例が示されている。
【００５９】
図７において、クライアント装置１１は、送信部１１１、受信部１１２を有し、光伝送路ａ、光伝送路ｈにより、非同期透過伝送装置Ｂと接続している。非同期透過伝送装置Ｂは、透過伝送パッケージ１３、ＳＯＮＥＴ／ＳＤＨインタフェースパッケージ１５を有しており、透過伝送パッケージ１３は、送信部１３１、受信部１３２を、ＳＯＮＥＴ／ＳＤＨインタフェースパッケージ１５は送信部１５１、受信部１５２を有している。
【００６０】
非同期透過伝送装置Ｂは、光伝送路ｂ、光伝送路ｃ、光伝送路ｆ、光伝送路ｇ、ＳＯＮＥＴ／ＳＤＨ網Ａに接続され、その対向側には、非同期透過伝送装置Ｃが接続されている。非同期透過伝送装置Ｃは、非同期透過伝送装置Ｂと同様に、ＳＯＮＥＴ／ＳＤＨインタフェースパッケージ１６、透過伝送パッケージ１４を有しており、ＳＯＮＥＴ／ＳＤＨインタフェースパッケージ１６は、送信部１６１、受信部１６２を、透過伝送パッケージ１４は、送信部１４１、受信部１４２を有している。
【００６１】
非同期透過伝送装置Ｃは、光伝送路ｄ、光伝送路ｅにより、クライアント装置１２と接続され、クライアント装置１２は、クライアント装置１１と同様に、送信部１２１、受信部１２２を有している。
【００６２】
クライアント装置１１、クライアント装置１２からのクライアント信号は、非同期透過伝送装置Ｂ、ＳＯＮＥＴ／ＳＤＨ網Ａ、非同期透過伝送装置Ｃを含む区間にて透過伝送される。
【００６３】
図２を参照すると、図７に示す透過伝送パッケージ１３の受信部１３２の詳細な構成が示されている。受信インタフェース部１３２１は、クライアント装置１１からＳＯＮＥＴ／ＳＤＨ網Ａとは非同期なＳＯＮＥＴ／ＳＤＨフレームであるクライアント光信号を受信し、受信した光信号を、光−電気変換し、後段の受信クロック情報生成部１３２２へ渡す。受信クロック情報生成部１３２２は、受信インタフェース部１３２１より渡された主信号から、クライアント信号の搬送クロックに関する情報を生成し、主信号はその後段のパケット信号生成部１３２３へ、生成したクロック情報は、ＧＦＰカプセリング部１３２４へ渡される。
【００６４】
パケット信号生成部１３２３は、渡された主信号をパケット化しＧＦＰカプセリング部１３２４へ渡す。ＧＦＰカプセリング部１３２４は、パケット化された信号と受信クロック情報生成部１３２２から渡されたクロック情報をカプセル化し、後段のＳＴＭパス生成部１３２５へ渡す。ＳＴＭパス生成部１３２５は、ＧＦＰカプセリング部１３２４より渡された信号を、ＳＴＭパスにマッピングした後バーチャルコンカチネーションパスを生成し、ＳＯＮＥＴ／ＳＤＨインタフェースパッケージ１５の送信部１５１へ渡す。ＳＯＮＥＴ／ＳＤＨインタフェース部１５の送信部１５１は、光伝送路ｂに接続されたＳＯＮＥＴ／ＳＤＨ網Ａへ光信号を送出する。なお、図７に示す透過伝送パッケージ１４の受信部１４２も同様の構成をもつ。
【００６５】
図１を参照すると、図７に示す透過伝送パッケージ１３の送信部１３１の詳細な構成が示されている。ＳＴＭパス終端部２３１１は、ＳＯＮＥＴ／ＳＤＨインタフェースパッケージ１５の受信部１５２から主信号を渡され、渡された主信号をＳＴＭパス終端後、バーチャルコンカチネーションパスの位相同期を行い、主信号を後段のＧＦＰデカプセリング部２３１２へ渡す。ＧＦＰデカプセリング部２３１２は、渡された主信号をＧＦＰデカプセンリング処理する。そして、デカプセリングされた主信号を、後段の受信クロック情報抽出部２３１３へ渡す。
【００６６】
受信クロック情報抽出部２３１３は、渡された信号からクロック情報を抽出し、抽出したクロック情報はクロック再生部２３１４へ渡すとともに、主信号は、透過信号再生部２３１７へ渡す。透過信号再生部２３１７は、パケット化されている信号からもとのクライアント信号を再生する。
【００６７】
クロック再生部２３１４は、受信クロック情報抽出部２３１３より渡されたクロック情報をもとに、クライアント信号の搬送クロックを再生し、再生したクロックを、クロック選択部２３２１へ渡す。クロック再生監視部２３１５は、クロック再生部２３１４にて正常にもとの搬送クロックが再生されたかを監視し、その監視結果をもとに、ＡＩＳ／クロック選択制御部２３１６へ、制御信号を出す。
【００６８】
ＡＩＳ／クロック選択制御部２３１６は、クロック再生監視部２３１５から受ける制御信号に従い、ＡＩＳ信号挿入部２３１８、クロック選択部２３２１を制御する。装置内クロック生成部２３２０は、装置内クロックを生成し、生成したクロックを、クロック選択部２３２１へ渡す。クロック選択部２３２１は、ＡＩＳ／クロック選択制御部２３１６から入力される制御信号に従い、自身に入力されている装置内クロックと再生クロックのうち、どちらか一方を選択し、選択したクロックを送信インタフェース部２３１９へ入力する。
【００６９】
ＡＩＳ信号挿入部２３１８は、ＡＩＳ／クロック選択制御部２３１６からの制御信号に従い、ＭＳ−ＡＩＳ信号を挿入し、主信号を送信インタフェース部２３１９へ渡す。送信インタフェース部２３１９は、ＡＩＳ信号挿入部２３１８より渡された主信号を電気−光変換し、クロック選択部２３２１から入力されるクロックにて、もとのクライアント光信号を光伝送路ｈに送出する。また、ＡＬＳ制御部２３２２からのＡＬＳ制御信号が入力されているときには、送信光信号をＡＬＳ制御する。なお、図７に示す透過伝送パッケージ１４の送信部１４１も同様の構成をもつ。
【００７０】
以上詳細に実施例の構成を述べたが、図２のＳＯＮＥＴ／ＳＤＨインタフェースパッケージ１５中の送信部１５１は、ＳＴＭパスをＳＯＮＥＴ／ＳＤＨフレームへマッピングし電気−光変換後、ＳＴＭ光信号としてネットワークへ送出する機能を持ち、また図３のＳＯＮＥＴ／ＳＤＨインタフェースパッケージ１５中の受信部１５２は、受信したＳＴＭ光信号を光−電気変換後、ＳＯＮＥＴ／ＳＤＨフレームからＳＴＭパスをデマッピングする機能を持つが、これらについては当業者にとってよく知られており、また本発明とは直接関係しないので、その詳細な構成は省略する。
【００７１】
（実施例の動作の説明）
図２を参照し、図７に示す透過伝送パッケージ１３の受信部１３２の動作を説明する。受信部１３２の受信インタフェース部１３２１では、光伝送路ａより受信したＳＯＮＥＴ／ＳＤＨ網Ａとは非同期なＳＯＮＥＴ／ＳＤＨフレームであるクライアント光信号を、光−電気変換し、主信号を受信クロック情報生成部１３２２へ渡す。受信クロック情報生成部１３２２では、図７の透過伝送パッケージ１４が送出する信号の搬送クロックを再生するために必要なクロック情報を生成する。クロック情報の生成には、ＡＴＭ(Asynchronous Transfer Mode)伝送システムで用いられているＳＲＴＳ(Synchronous Residual
Time Stamp)法を適用する。
【００７２】
ＳＲＴＳ法では、一定時間内にクライアント信号の搬送クロックが何クロックあるかを、装置内で生成する参照クロックを用いて観測することで、搬送クロックの情報を生成するが、ここではＲＴＳ(Residual Time Stamp)のみをクロック再生情報として転送する。生成したクロック情報はＧＦＰカプセリング部１３２４へ渡され、また、クライアント信号は、後段のパケット信号生成部１３２３へ渡される。
【００７３】
パケット信号生成部１３２３では、クライアント信号のＳＯＨも含めた信号全体を透過伝送するため、クライアント信号を先頭からパケット化していき、パケット化された信号は、クロック情報とともに、ＧＦＰカプセリング部１３２４にて、ＧＦＰフレームにカプセル化され、ＳＴＭパス生成部１３２５へ渡される。ＧＦＰ処理については、ＩＴＵ−Ｔ  Ｇ．７０４１または、ＡＮＳＩ  Ｔ１Ｘ１．５にて、勧告されている方法に従う。
【００７４】
ＳＴＭパス生成部１３２５では、ＧＦＰカプセル信号をＳＴＭパスへマッピングし、バーチャルコンカチネーションパスを生成する。例えば、クライアント信号が、ＳＴＭ−１６フレームフォーマットに従った信号であった場合には、ＳＯＨも含めた信号全体を伝送するため、ＶＣ４パスでは、１７本のバーチャルコンカチネーションパスを生成する。
【００７５】
バーチャルコンカチネーションパス生成については、ＩＴＵ−Ｔ  Ｇ．７０７にて勧告されている方法に従う。ＳＯＮＥＴ／ＳＤＨインタフェースパッケージ１５の送信部１５１では、ＳＯＨ生成処理、バーチャルコンカチネーションパスのＳＯＮＥＴ／ＳＤＨフレームへのマッピング、電気−光変換処理が施された後、ＳＴＭ光信号が光伝送路ｂへと送出される。
【００７６】
送信部１５１での処理については、当業者にとってよく知られており、また本発明とは直接関係しないので、その詳細な処理については省略する。なお、図７に示されている透過伝送パッケージ１４の受信部１４２も同様の動作である。
【００７７】
次に、図７の透過伝送パッケージ１３の送信部１３１の動作を図１を用いて説明する。ＳＯＮＥＴ／ＳＤＨインタフェースパッケージ１５の受信部１５２では受信したＳＴＭ光信号を、光−電気変換処理、ＳＯＨ終端処理、バーチャルコンカチネーションパスのデマッピング処理を施し、バーチャルコンカチネーションパスはＳＴＭパス終端部２３１１へ渡される。
【００７８】
受信部１５２での処理については、当業者にとってよく知られており、また本発明とは直接関係しないので、その詳細な処理については省略する。
【００７９】
ＳＴＭパス終端部２３１１では、ＳＴＭパスの終端処理、それぞれ異経路を伝送されてきたバーチャルコンカチネーションパスの位相同期処理が行われ、これによりクライアント信号を分割することにより生成されたパケット信号がマッピングされている各パスの位相が揃えられる。バーチャルコンカチネーションパスの位相同期処理については、ＩＴＵ−Ｔ  Ｇ．７８３にて勧告されている方法に従う。
【００８０】
ＧＦＰデカプセリング部２３１２では、主信号のＧＦＰデカプセル化が行われ、後段の受信クロック情報抽出部２３１３へ渡される。受信クロック情報抽出部２３１３では、透過伝送パッケージ１４の受信部１４２にてＧＦＰフレームに挿入された搬送クロック情報を抽出し、抽出したクロック情報を、クロック再生部２３１４へ渡すと共に、デカプセル化されたパケット信号は、後段の透過信号再生部２３１７へ渡す。透過信号再生部２３１７では、渡されたパケット信号から、透過伝送パッケージ１４の受信部１４２が受信したもとのクライアント信号を再生する。クロック再生部２３１４は、渡されたクロック情報からもとのクライアント信号の搬送クロックを再生し、後段のクロック選択部２３２１へ再生したクロックを渡す。再生されるクロックは、クライアント装置１２から送信されたクライアント光信号の搬送クロックと等価となる。
【００８１】
ここで、クロック再生部２３１４では、渡されるクロック情報からクロックを再生するため数秒間のクロック再生時間が必要となり、例えば、この再生時間内に、転送されてくるクロック情報が喪失した場合には、クロックを正常に再生することが不可能となる。
【００８２】
クロック再生監視部２３１５は、クロック再生部２３１４にて正常にクロックが再生されているかどうかを監視し、その監視結果を、ＡＩＳ／クロック選択制御部２３１６へ制御信号として入力する。これは例えば、ＡＩＳ／クロック選択制御部２３１６に対し、下記のような２値の制御信号を入力する。
【００８３】
クロック再生部２３１４にて正常にクロックが再生されている場合：０を入力
クロック再生部２３１４にて正常にクロック再生されていない場合：１を入力
装置内クロック生成部２３２０は、装置内クロックを生成し、後段のクロック選択部２３２１へ、生成した装置内クロックを渡す。
【００８４】
ＡＩＳ／クロック選択制御部２３１６は、前段のクロック再生監視部２３１５から入力される制御信号に従って、ＡＩＳ信号挿入部２３１８、クロック選択部２３２１へ制御信号を入力する。例えば、クロック再生監視部２３１５から、０が入力されている場合には、クロック再生部２３１４にて正常にクロックが再生されていることを意味するため、ＡＩＳ／クロック選択制御部２３１６は、ＡＩＳ信号挿入部２３１８に対しＭＳ−ＡＩＳ信号を挿入しないように制御し、また、クロック選択部２３２１に対しては、クロック再生部２３１４にて再生されたクロックを選択するように制御する。
【００８５】
また逆に、クロック再生監視部２３１５から、１が入力されている場合には、クロック再生部２３１４にて正常にクロックが再生されていない、つまり、送信するクライアント信号の搬送クロックとして、クライアント装置１２からの搬送クロックと等価クロックでもとのクライアント光信号を送信できないことを意味するため、この場合には、ＡＩＳ／クロック選択制御部２３１６は、ＡＩＳ信号挿入部２３１８に対しＭＳ−ＡＩＳ信号を挿入するように制御し、また、クロック選択部２３２１に対しては、装置内クロックを選択するように制御する。これらの制御信号は、たとえば、下記のような２値の制御信号を入力する。
クロック再生監視部２３１５から０が入力の場合
ＭＳ−ＡＩＳ信号挿入なし：０を入力
再生クロック選択：０を入力
クロック再生監視部２３１５から１が入力の場合
ＭＳ−ＡＩＳ信号挿入あり：１を入力
装置内クロック選択：１を入力
【００８６】
クロック選択部２３２１は、ＡＩＳ／クロック選択制御部２３１６からの制御信号に従い、入力されている再生クロック、装置内クロックのどちらか一方を選択して、その選択クロックを送信インタフェース部２３１９へ渡す。ＡＩＳ信号挿入部２３１８は、ＡＩＳ／クロック選択制御部２３１６からの制御信号に従い、前段の透過信号再生部２３１７から渡された主信号を処理し、後段の送信インタフェース部２３１９へ主信号を渡す。
【００８７】
ここでの主信号処理は、たとえば、制御信号として０が入力されている場合には、前段の透過信号再生部２３１７から渡された主信号をそのまま透過させるが、制御信号として１が入力されている場合には、前段の透過信号再生部２３１７から渡された主信号を、ＭＳ−ＡＩＳ信号とする。
【００８８】
送信インタフェース部２３１９は、前段のＡＩＳ信号挿入部２３１８から渡された主信号を、電気−光変換し、クロック選択部２３２１から渡されているクロックを搬送クロックとして、光伝送路ｈへもとのクライアント光信号を送出する。ＡＬＳ制御部２３２２は、受信部１３２への入力がなく、ＬＯＳ状態の時に、送信インタフェース部２３１９をＡＬＳ制御する。ＡＬＳ制御については、ＩＴＵ−Ｔ  Ｇ．９５８にて勧告されている方法に従う。なお、図７に示されている透過伝送パッケージ１４の送信部１４１も同様動作である。
【００８９】
次に、以上説明したような構成要素をもつ非同期透過伝送装置により構成される透過伝送ネットワーク全体における本発明でのネットワーク動作を図３、図４、図５、図６を用いて説明する。図３を参照すると、本発明の一実施例としてのネットワーク構成例が示されており、図７に示したネットワーク構成例と同様の構成をとっている。クライアント装置１１、クライアント装置１２は、それぞれＡＬＳ機能を有しているとする。
【００９０】
図３に示したネットワーク構成において、光伝送路ｈに障害が発生した場合を考える（図５：状態Ａ）。受信部１１２では、伝送路ｈの障害により送信部１３１から入力される光信号がなく、ＬＯＳが発生するため（図５：状態Ａ−ａ）、クライアント装置１１のＡＬＳ機能が働き、送信部１１１がＡＬＳ制御される（図５：状態Ａ−ｂ）。そのため、受信部１３２はＬＯＳを検出し（図５：状態Ａ−ｃ）、透過伝送パッケージ１３の有するＡＬＳ機能により送信部１３１はＡＬＳ制御される（図５：状態Ａ−ｄ）。
【００９１】
一方、受信部１３２では、ＡＬＳ制御されたクライアント信号を受信し、その信号からクロック情報を生成する。この場合には、受信信号がＡＬＳ制御された信号であるため、生成されるクロック情報は、ＡＬＳによる発光時間（Ｍ（ｓｅｃ））内に生成可能なクロック情報となる。生成されたクロック情報が挿入された主信号はＳＯＮＥＴ／ＳＤＨインタフェースパッケージ１５を介し、ＳＯＮＥＴ／ＳＤＨ網Ａへと送出される（図５：状態Ａ−ｅ）。
【００９２】
ＳＯＮＥＴ／ＳＤＨ網Ａを伝送した主信号は、透過伝送パッケージ１４の送信部１４１へ届き、送信部１４１では、転送されてきたクロック情報をもとにクロックを再生しようとする。
【００９３】
しかし、図１に示すクロック再生部２３１４では、転送されてきたクロック情報からクロックを再生するために数秒間のクロック再生時間が必要であるが、この時間をＮ（ｓｅｃ）とした場合、クライアント装置１１にてＡＬＳ制御された主信号の発光時間Ｍ（ｓｅｃ）との間に、
Ｎ＞Ｍ
の関係があるときには、クロック情報を受信している時間がクロック再生に必要な時間に満たないため、正常にクロックを再生できない。この場合には、送信部１４１は装置内クロックを搬送クロックとしたＭＳ−ＡＩＳ信号を送出する（図５：状態Ａ−ｆ）。クライアント装置１２の受信部１２２は、送信部１４１からのＭＳ−ＡＩＳ信号を受信する（図５：状態Ａ−ｇ）。
【００９４】
一方、送信部１２１は、通常通り、クライアント信号を送出する（図５：状態Ａ−ｈ）ため、受信部１４２では、受信するクライアント信号からクロック情報を生成し、転送する（図５：状態Ａ−ｉ）。
【００９５】
以上の動作により、光伝送路ｈに障害が発生した場合には、透過伝送ネットワークは（図５：Ａ−ａ〜Ａ−ｉ）の状態となり、クライアント装置１２から透過伝送パッケージ１３の方向への信号伝送においては、正常な運用状態を維持する（図５：状態Ｂ）。
【００９６】
次に、この状態から光伝送路ｈの障害が復旧したことを考える（図６：状態Ｃ）。光伝送路ｈの障害が復旧すると、受信部１１２のＬＯＳ状態が解除（図６：状態Ｃ−ａ）される。そのため送信部１１１のＡＬＳ制御も自律的に解除され、送信部１１１は光送出を再開する（図６：状態Ｃ−ｂ）。したがって、受信部１３２で検出していたＬＯＳ状態も解除（図６：状態Ｃ−ｃ）され、同様に送信部１３１のＡＬＳ制御も自律的に解除されるため、送信部１３１は光送出を再開する（図６：状態Ｃ−ｄ）。
【００９７】
一方、受信部１３２では受信信号からクロック情報を生成し転送するが（図６：状態Ｃ−ｅ）、前で説明したように、送信部１１１のＡＬＳ制御は既に解除されているため、ここで生成されるクロック情報は、送信部１４１でのクロック再生に必要な時間Ｎ（ｓｅｃ）以上の長い時間で情報生成が可能となる。よって送信部１４１では、クライアント信号の搬送クロックの再生が可能となることで、再生したクロックを搬送クロックとしたクライアント信号を送出し（図６：状態Ｃ−ｆ）、受信部１２２はその透過信号を受信する（図６：状態Ｃ−ｇ）。
【００９８】
以上の動作により、クライアント装置１１からクライアント装置１２方向のネットワークが自律的に復旧する。
【００９９】
一方、図５で説明したように、伝送路ｈの障害有無に関わらず、クライアント装置１２から透過伝送パッケージ１３までは、正常なネットワーク運用状態を維持している（図６：状態Ｃ−ｈ、図６：状態Ｃ−ｉ）。
【０１００】
よって、以上より、伝送路ｈの障害復旧によりネットワーク全体は、自律的に障害発生前の正常な状態に復旧し、運用が再開される（図６：状態Ｄ）。この状態を、図４に示す。
【０１０１】
（発明の他の実施例）
図１のＡＩＳ信号挿入部２３１８を、ランダムパターン信号、または、０／１交番信号を挿入する機能に置き換えることで、クライアント装置への信号送出点で搬送クロックを正常に再生できないような前項までと同様な状況において、装置内クロックを搬送クロックとしたＭＳ−ＡＩＳ信号を送出する代わりに、装置内クロックを搬送クロックとしたランダムパターン信号や、０／１交番信号を送出する。この場合、クライアント装置にてＬＯＦ(Loss of Frame)を検出させることで、クライアント装置のＡＬＳ機能を動作させることなく伝送路状態の障害を検出させるとともに、同様の効果が期待できる。
【産業上の利用可能性】
【０１０２】
本発明によれば、クライアント装置のＡＬＳ機能が作動した場合でも、上述したようなデッドロック状態を回避することができるので、ＡＬＳ機能を有するクライアント装置が接続された非同期透過伝送機能をもつＳＯＮＥＴ／ＳＤＨ網の運用効率を向上させることができる。
【図面の簡単な説明】
【０１０３】
【図１】本実施例の送信部の構成図。
【図２】本実施例の受信部の構成図。
【図３】本実施例のネットワークに障害が発生した状態を示す図。
【図４】本実施例のネットワークの障害が復旧した状態を示す図。
【図５】本実施例の障害対処手順を示すフローチャート。
【図６】本実施例の障害復旧手順を示すフローチャート。
【図７】本実施例または従来のネットワーク構成図。
【図８】従来例の送信部の構成図。
【図９】従来のネットワークに障害が発生した状態を示す図。
【図１０】従来のネットワークにデッドロックが発生した状態を示す図。
【図１１】従来の障害対処手順を示すフローチャート。
【符号の説明】
【０１０４】
１１、１２  クライアント装置
１３、１４  透過伝送パッケージ
１５、１６  ＳＯＮＥＴ／ＳＤＨインタフェースパッケージ
１１１、１２１、１３１、１４１、１５１、１６１  送信部
１１２、１２２、１３２、１４２、１５２、１６２  受信部
１３１１、２３１１  ＳＴＭパス終端部
１３１２、２３１２  ＧＦＰデカプセリング部
１３１３、２３１３  受信クロック情報抽出部
１３１４、２３１４  クロック再生部
１３１５、２３１５  クロック再生監視部
１３１６  シャットダウン制御部
１３１７、２３１７  透過信号再生部
１３１８、２３１９  送信インタフェース部
１３１９、２３２２  ＡＬＳ制御部
１３２１  受信インタフェース部
１３２２  受信クロック情報生成部
１３２３  パケット信号生成部
１３２４  ＧＦＰカプセリング部
１３２５  ＳＴＭパス生成部
２３１６  ＡＩＳ／クロック選択制御部
２３１８  ＡＩＳ信号挿入部
２３２０  装置内クロック生成部
２３２１  クロック選択部
Ａ  ＳＯＮＥＴ／ＳＤＨ網
Ｂ、Ｃ  非同期透過伝送装置
Ｄ、Ｅ  ＳＯＮＥＴ／ＳＤＨネットワーク
Ｆ  透過伝送ネットワーク
ａ〜ｈ  光伝送路
【図１】
2006339731.tif 000003
【図２】
2006339731.tif 000004
【図３】
2006339731.tif 000005
【図４】
2006339731.tif 000006
【図５】
2006339731.tif 000007
【図６】
2006339731.tif 000008
【図７】
2006339731.tif 000009
【図８】
2006339731.tif 000010
【図９】
2006339731.tif 000011
【図１０】
2006339731.tif 000012
【図１１】
2006339731.tif 000013